(57)【特許請求の範囲】
【請求項１】
必須成分として、活性酸素を放出しうるペルオキシ一硫酸カリウム・硫酸水素カリウム・硫酸カリウムの複塩化合物、過硫酸カリウム及び過硫酸ナトリウムから選ばれる１種または２種以上の化合物、並びに常温で固体の有機酸及び脂肪酸化合物を含有し、これらを混合して錠剤としたことを特徴とする水中で活性酸素を放出しうる錠剤であって、常温で固体の有機酸として少なくとも安息香酸を用い、常温で固体の脂肪酸化合物として、椰子油脂肪酸モノエタノールアミド、ステアリン酸モノエタノールアミド、ラウリン酸モノイソプロパノールアミド、モノステアリン酸ポリエチレングリコール、ジステアリン酸ポリエチレングリコール、モノステアリン酸エチレングリコール及びジステアリン酸エチレングリコールから選ばれる１種または２種以上の化合物を用いたことを特徴とする水中で活性酸素を放出しうる錠剤。
【請求項２】
常温で固体の有機酸として、クエン酸、コハク酸、アジピン酸、フマル酸、安息香酸及びサリチル酸から選ばれて少なくとも安息香酸を含む１種または２種以上の化合物を用いたことを特徴とする、請求項１に記載の水中で活性酸素を放出しうる錠剤。
【発明の詳細な説明】
【０００１】
【発明の属する技術分野】
この発明は、台所の流し台、風呂場、洗面台などの排水口、トイレ洗浄水タンクの上部流入口、男子用小便器内などに設置して、除菌、消臭、漂白あるいはヌメリ防止等に有用な活性酸素を、長期間に亘って放出しうる錠剤を提供するものである。
【０００２】
【従来の技術】
塩素化イソシアヌル酸系化合物は、排水等の殺菌消毒剤あるいはスライムコントロール剤として従来より使用されており（例えば特公昭６１−４１８８３号公報）、なかでもトリクロロイソシアヌル酸は溶解度が低く、水中において持続性が優れた錠剤と為し得るので、台所流し台における排水口のヌメリ取り剤として用いられている（例えば特開平８−２３１３１４号公報）。
特開平８−２６８８１８号公報には、過炭酸ナトリウムをパラフィンワックスなどでコーティングした持続性のヌメリ取り剤が開示されているが、本品は溶解性が乏しく実用に供し難いものである。また特開２０００−１４４８４０号公報には、非塩素系薬剤としてイソチアゾリン系薬剤を用いた排水口のヌメリ取り装置が提案されている。
【０００３】
【発明が解決しようとする課題】
この発明は、台所流し台、風呂場、洗面台などの排水口、トイレ洗浄水タンクの流入口、男子小便器等に使用する際に、塩素ガスが発生せずまた金属の腐食によるトラブルを回避し、且つ水中において殺菌、消臭、漂白、除菌、ヌメリ取りなどの作用を、長期間に亘って維持しうる錠剤を提供することにある。
【０００４】
【課題を解決するための手段】
本発明者等はこのような事情に鑑み鋭意研究の結果、活性酸素を放出しうるペルオキシ一硫酸カリウム・硫酸水素カリウム・硫酸カリウムの複塩化合物、過硫酸カリウム及び過硫酸ナトリウムから選ばれる１種または２種以上の化合物、並びに常温で固体の有機酸及び脂肪酸化合物を均一に配合し、打錠成形することによって所期の目的を達成したものである。
【０００５】
この発明によれば、ペルオキシ一硫酸カリウム・硫酸水素カリウム・硫酸カリウムの複塩化合物、過硫酸カリウム及び過硫酸ナトリウムなどの活性酸素を放出しうる化合物と、常温で固体の有機酸及び脂肪酸化合物を混合し、圧縮成形して錠剤としたものであるから、粉末もしくは顆粒状のものに比べて水との接触面積が小さいので、活性酸素を放出しうる化合物と水との接触が制限され、錠剤の形状を維持しながら長時間に亘って活性酸素を放出させることができる。
【０００６】
【発明の実施の形態】
本発明の実施に適する水と接触して活性酸素を放出しうる化合物は、ペルオキシ一硫酸カリウム・硫酸水素カリウム・硫酸カリウムの複塩化合物（化学式：２ＫＨＳＯ５・ＫＨＳＯ４・Ｋ２ＳＯ４、以下、オキソン一過硫酸化合物という）、過硫酸カリウム及び過硫酸ナトリウムであり、これら以外の活性酸素を放出しうる化合物として知られている過炭酸ナトリウム、過ほう酸ナトリウムは、保存安定性あるいは徐溶性の観点から使用に適さない。
錠剤中に配合する活性酸素を放出する化合物の配合比率は２０〜７０重量％が好ましい。前記化合物の配合量が２０重量％より少ない場合には、ヌメリを防止する充分な効果が得られず、７０重量％を超えて配合してもコスト高を招き、経済的な観点から好ましくない。
【０００７】
本発明において使用される有機酸は、常温で固体であり且つ適宜な溶解性と打錠成形性を備えるものが好ましい。代表的な有機酸としてはクエン酸、コハク酸、アジピン酸、フマル酸、安息香酸及びサリチル酸等であり、これらから選ばれて少なくとも安息香酸を含む１種または２種以上を混合して使用することができる。
錠剤中に配合する有機酸の配合比率は１０〜７０重量％が好ましい。有機酸の配合量が１０重量％より少ない場合には、錠剤の打錠性が悪くなり生産性の低下をもたらすばかりか、外観の整った錠剤が得られなくなる。また７０重量％を超えて配合しても、下記脂肪酸化合物の必要な含有量が確保できず好ましくない。
【０００８】
本発明において使用する常温で固体の脂肪酸化合物として、椰子油脂肪酸モノエタノールアミド、ステアリン酸モノエタノールアミド、ラウリン酸モノイソプロパノールアミド、モノステアリン酸ポリエチレングリコール、ジステアリン酸ポリエチレングリコール、モノステアリン酸エチレングリコール及びジステアリン酸エチレングリコールなどが代表的なものとして挙げられる。
錠剤中における脂肪酸化合物の配合比率は、１０〜７０重量％が好ましい。脂肪酸化合物の配合量が１０重量％より少ない場合には、錠剤の包接力が低下し水中において錠剤形状を維持することができず、７０重量％を超えて配合してもいたずらにコスト高を招来するばかりか、有機酸の必要な含有量を確保できず好ましくない。
【０００９】
錠剤成形に当たっては、通常使用されているアルキル硫酸塩、アルキルベンゼンスルホン酸塩等の界面活性剤、ステアリン酸塩等の滑沢剤、香料等の着臭剤、顔料等の着色剤も使用できる。
また錠剤の成形に当たっては、組成混合物を直接圧縮して錠剤化することができるが、予備加熱してその一部を溶融させたのち、冷却し整粒したものを圧縮して錠剤化することも可能である。
【００１０】
【実施例】
以下、本発明を実施例及び比較例によって具体的に説明するが、本発明はこれらに限定されるものではない。
また、実施例及び比較例で使用した原料ならびに評価試験方法は次のとおりである。
【００１１】
〔原料〕
・オキソン一過硫酸化合物［商品名：オキソン、デュポン社製］
・過硫酸カリウム［試薬、和光純薬工業社製］
・過硫酸ナトリウム［試薬、和光純薬工業社製］
・コハク酸［武田薬品工業社製］
・フマル酸［武田薬品工業社製］
・安息香酸［伏見製薬所社製］
・椰子油脂肪酸モノエタノールアミド［商品名：プロファン AB-20、三洋化成工業社製］
・ステアリン酸モノエタノールアミド［商品名：プロファン SME、三洋化成工業社製］
・ジステアリン酸ポリエチレングリコール［商品名：エマルミン 862、三洋化成工業社製］
・ジステアリン酸エチレングリコール［商品名：サントパール GE-70、三洋化成工業社製］
【００１２】
〔注水試験〕
上面及び下面に直径３ｍｍの孔を３ヶ所あけた直径４５ｍｍの樹脂製アプリケーターに、錠剤１錠（４０ｇ）を入れてアプリケーター上部から１０Ｌの水を１分間に亘って注ぎ、この操作を１時間毎に繰り返して、錠剤質量が５．0ｇになるまでの注水回数を測定した。
この注水回数が多い程、錠剤の寿命が長く活性酸素を長期に亘って持続的に放出することができ、徐放性能が優れている。
【００１３】
〔活性酸素濃度の測定〕
マグネチックスターラーを用いて、２０℃の水５Ｌを入れたビーカーを１２０ＲＰＭでかき混ぜながら、錠剤を入れたアプリケーターを５分間吊るして、その水中における活性酸素濃度を次の方法で求めた。
オキソン一過硫酸化合物を使用した場合は、よう化カリウムとチオ硫酸ナトリウムによる滴定法により、また過硫酸カリウム及び過硫酸ナトリウムを使用した場合は、硫酸第一鉄アンモンと過マンガン酸カリによる滴定法にて測定した。
なお、実施例及び比較例に記載した数値は、３回の測定の平均値である。
【００１４】
〔ヌメリ防止試験〕
食堂流し台の排水口における籠型ストレーナー内に、注水試験に用いたものと同一のアプリケーター入り錠剤を設置し、１ケ月経過後における内部の様子を目視によって観察し、ブランク試験を１として３段階（１：ヌメリあり、２：良、３：優）の評価を行った。
【００１５】
〔実施例１〜６〕
表１に示した配合に従って、活性酸素源となる薬剤、有機酸及び脂肪酸を均一に混合し、この混合物４０ｇを直径３７ｍｍの臼杵を用いて面圧１．０ｔ／ｃｍ２で圧縮し、厚さ２６ｍｍの錠剤を調製して評価試験を行った。
これらの試験結果は、表１に示したとおりであった。
【００１６】
〔実施例７〜９〕
表１に示した配合に従って、活性酸素源となる薬剤、有機酸及び脂肪酸を均一に混合し、この混合物４０ｇを温度８０℃まで混合加熱し、一部溶融状態の粘性物を得た。このものを冷却したのち乳鉢で粗砕し、１２メッシュの篩を通過する顆粒状の粒子を取り出した後、実施例１〜６と同様にして錠剤を調製し評価試験を行った。
これらの試験結果は、表１に示したとおりであった。
【００１７】
【表１】
0004605680.tif 000002
【００１８】
表１に示した試験結果から、本発明の錠剤は水に接触した場合における形状保持性に優れており、長期間に亘って活性酸素を放出させることができるものと認められる。
【００１９】
〔比較例１〜５〕
表１に示した配合に従って、活性酸素源となる薬剤と有機酸または脂肪酸を均一に混合し、実施例１〜６と同様にして錠剤を調製し、それらの評価試験を行った。
これらの試験結果は、表２に示したとおりであった。
【００２０】
【表２】
0004605680.tif 000003
【００２１】
表２に示した試験結果によれば、１ヶ月間のヌメリ防止試験終了後には錠剤が溶解して無くなっていた。即ち、有機酸と脂肪酸化合物を併用しない錠剤については、成形性が乏しく強度的に脆いものであるので、耐水性に劣り錠剤の寿命も短くなり、長期間に亘る使用には適さないものである。
【００２２】
【発明の効果】
本発明の錠剤は、活性塩素系錠剤などに比べて安全性が優れており、水中で活性酸素を徐放させることができるので、台所流し台、風呂場などの排水口、トイレ洗浄水タンク流入口や男子用小便器などにおいて、安全で且つ長期間に亘って効率良く、除菌、消臭、漂白あるいはヌメリ防止などの効果を発揮する。